(57)【要約】      （修正有）【課題】保管、携帯に便利という特性をもつ折りたたみ組み立て式正座用椅子を提供する。【解決手段】正座用椅子２は、座板２１、支持部２２１、固定具２３１を備え、折りたたみ可能な組み立て式のものである。支持部２２１は固定具２３１により座板２１と堅固に固定され、座板２１を地面からある高さに支え、地面との間に傾斜角度を形成することにより、使用者が快適に正座することを可能にする。固定具２３１が固定を解除すると、支持部２２１は、座板２１に沿う位置まで移動できる。このため、支持部２２１を折り畳むことができ、正座用椅子２の収納に便利である。【選択図】図３
0003142127.tif 000002
【実用新案登録請求の範囲】
【請求項１】
座板と、支持部と、固定具とを備え、
前記支持部は、前記座板に連結し、前記座板の相対する第１位置と第２位置間を可動し、第１位置にある時は、前記座板を地面からある高さに支え、また地面とある傾斜角度をなし、第２位置にある時は、前記座板に沿って折りたたみ式に収納にでき、
前記固定具は、前記支持部が第１位置にある時は、座板と支持部を堅固に固定でき、折りたたむ時には、前記固定具を解除し前記支持部を第２位置まで動かすことができる、
ことを特徴とする折りたたみ組み立て式正座用椅子。
【請求項２】
前記支持部は、２つの脚部を具備し、該脚部はそれぞれ前記座板の両側縁に設けられ、第１位置にある時は、各脚部の上縁が前記座板を支え、前記座板と地面に傾斜角度を持たせることを特徴とする請求項１に記載の折りたたみ組み立て式正座用椅子。
【請求項３】
前記固定具は、少なくとも２個の蝶番を具備し、前記各脚部をそれぞれ前記座板に連結し、前記各脚部を第１位置及び第２位置の間を回転移動させることができることを特徴とする請求項２に記載の折りたたみ組み立て式正座用椅子。
【請求項４】
前記固定具は、少なくとも２個の留め具を具備し、該留め具は雄留め具と雌留め具を具備しそれぞれ前記座板の両側縁及び前記各脚部の側面の一方に設置され、前記各脚部を第１位置にした時、前記雄留め具と前記雌留め具が相互に掛合でき、前記座板と前記脚部を堅固に固定することを特徴とする請求項３に記載の折りたたみ組み立て式正座用椅子。
【請求項５】
前記固定具は、少なくとも２つの接着部を具備し、該接着部は第１部分と第２部分を具備しそれぞれ前記座板の両側縁及び前記各脚部の側面の一方に設置され、前記第１部分と前記第２部分が相互に貼着でき、前記各脚部を第１位置にした時、前記座板と前記脚部を堅固に固定することを特徴とする請求項３に記載の折りたたみ組み立て式正座用椅子。
【請求項６】
前記固定具は、少なくとも２個の差し込み型固定具を具備し、該差し込み型固定具は差し込み具と差し込み孔を具備し、該差し込み孔は前記座板の両側縁及び前記各脚部の上縁を貫くように設置され、前記各脚部を第１位置にした時、前記差し込み具と前記差し込み孔が相互に挿着でき、前記座板と前記脚部を堅固に固定することを特徴とする請求項３に記載の折りたたみ組み立て式正座用椅子。
【請求項７】
前記傾斜角度が実質上４度乃至１０度であることを特徴とする請求項１に記載の折りたたみ組み立て式正座用椅子。
【請求項８】
座板と、支持部と、固定具とを備え、
前記支持部は前記座板との嵌着分離が可能で、前記支持部が前記座板に嵌着している時、前記座板を地面からある高さに支え、地面とある傾斜角度をなし、該傾斜角度は実質上４度乃至１０度であり、
前記固定具は、前記支持部が取り外し可能で前記座板と堅固に固定する、ことを特徴とする折りたたみ組み立て式正座用椅子。
【請求項９】
前記支持部は、少なくとも２つの脚部を具備し、それぞれ前記座板の両側縁に設置され該各脚部が前記座板に嵌着する時、該各脚部の上縁が前記座板を支え、前記座板が地面と傾斜角度をなすことを特徴とする請求項８に記載の折りたたみ組み立て式正座用椅子。
【請求項１０】
前記固定具は、少なくとも２つのほぞ組を具備し、該ほぞ組はほぞとほぞ穴を具備し、それぞれ前記座板の底面と前記脚部の縁の一方に設置され、前記ほぞと前記ほぞ穴が相互に嵌着し前記座板と前記脚部を堅固に固定することを特徴とする請求項９に記載の折りたたみ組み立て式正座用椅子。
【考案の詳細な説明】
【技術分野】
【０００１】
この考案は、椅子に関するもの、特に正座に用いられる椅子に関する。
【背景技術】
【０００２】
ある宗教活動において、修行者は正座により座禅修行を行う、またはその他の活動を行う必要がある。つまり、修行者は通常長時間この正座の体勢を保持しなければならない。しかしながら、図１Ａの矢印が示すように、長時間正座の姿勢を維持することは修行者のふくらはぎ及び太ももに痺れを生じさせ、ひどい場合にはふくらはぎの筋肉がつる、血液循環が悪くなる、更にはふくらはぎと太ももの病気になる等の問題も引き起こす。実際、修行者はよく知られた正座の座り方をする時、ふくらはぎと太ももの痛みと痺れに対しては、ただ消極的に我慢するか、絶え間なく体の重心または姿勢を変えるといったことで、ふくらはぎと太ももの痛みを和らげるしかなく、修行者は長時間平常心で静かに正座をしながら各種の宗教活動を行うことはできない。
【０００３】
図１Ｂが示すのは、周知の腰掛け１で、通常その上に直接腰掛け、両足は体の前方に置き、足の裏は地面を踏む形で用いられ、正座の補助として用いられることは少ない。周知の腰掛け１は水平座板１１及びその下に直接固定された脚部１２１を含む。脚部１２１は水平座板１１を地面から適度な高さで支えている。周知の腰掛け１を正座用の椅子として用いようとする場合、ふくらはぎと太ももの痛みと痺れを和らげるためには、図１Ｃの如く、使用者は両ふくらはぎを水平後方（Ｘ軸の反対方向）に水平座板１１の下と２つの脚部１２１の間の空間に挿入し、水平座板１１上に正座しなければならない。これだと使用者の体重は脚部１２１の支えを得られ直接ふくらはぎの上にかかることはなく、長時間ふくらはぎが体重の重みを受けることは避けられる。
【０００４】
しかしながら、周知の腰掛け１は、次のような使用上の欠点がある。
（１）携帯や収納などが容易でない。周知の腰掛け１は、使用者が携帯するのに不便であるばかりでなく、大型の宗教活動において使用された後、積み重ねて収納するのにも困難である。
（２）水平座板１１の設置角度が、使用者が正座の姿勢をとった時の人体工学の要求に合っていない。周知の腰掛け１の水平座板１１と地面は平行であるため、正座時に使用者の膝は大きく湾曲し引っ張られる。また使用者は重心位置を快適に調整できないため、背部をＹ軸である垂直と平行にすることができず、頸部、背部、腰部に姿勢の悪さからくる痛みが生じ、図１Ｃの矢印が示すように、太ももの後ろ側の前端には通常水平座板１１の圧力がかかる。よって、使用者は長時間正座の姿勢を維持することが難しい。
正座用の座椅子としては、特許文献１に開示されているようなものも考えられるが、長時間正座の姿勢を維持するのには適さない。
【特許文献１】特開２００２−１９９９６６号公報
【考案の開示】
【考案が解決しようとする課題】
【０００５】
これらを鑑みて、携帯、保管がしやすく、人体工学に合った椅子の提供が、この業界が待ちわびている問題の解決となる。
【課題を解決するための手段】
【０００６】
本考案の目的の一つは、保管、携帯に便利という特性をもつ折りたたみ組み立て式正座用椅子の提供である。
【０００７】
本考案のもう一つの目的は、人体工学に合ったデザインの折りたたみ組み立て式正座用椅子の提供であり、この折りたたみ組み立て式正座用椅子の座板は前方への傾斜角度を持ち、使用者が正座をする時の人体工学原理に合致することができる。使用者が正座時に重心配置を脊椎が直立の姿勢を維持するよう適宜調整するのに便利で、更に太ももが受ける圧力を軽減し、膝が過度に湾曲して引っ張られることを避けることができる。また、異なる使用者の体つきにより適度な傾斜角度を調整することができることから、個別の使用者が正座時に一番よい姿勢に調整し、長時間正座することによって生じる不具合を避けることができる。
【０００８】
上述の目的達成のため、本考案の折りたたみ式組み立て正座用椅子は、座板、支持部、固定具を具備する。この支持部は座板と連結しており、座板の相対する第１位置と第２位置の間を可動する。支持部が第１位置にある時、座板を地面からある高さに支え、地面との間にはある傾斜角度をなし、使用者は快適に正座ができる。支持部が第２位置にある時は、座板に沿い折りたたみ組み立て式正座用椅子の収納に便利である。固定具は、支持部が第１位置にある時は、座板と支持部を堅固に固定し、固定を解除した後、支持部は第２位置まで移動することができる。
【０００９】
上述の目的、技術特徴、利点をより明確に分かり易くするため、次に図面添付で実施例について詳細に説明する。
【考案を実施するための最良の形態】
【００１０】
本考案の折りたたみ組み立て式正座用椅子の第１の実施態様を図２Ａ乃至図２Ｃを用いて説明する。折りたたみ組み立て式正座用椅子２は座板２１及び支持部２２及び固定具２３を具備する。この支持部２２は座板２１に連結しており、相対する座板２１の第１位置（図２Ａ参照）と第２位置（図２Ｂ参照）の間を可動する。そのうち、支持部２２が第１位置にある時、固定具２３は座板２１と支持部２２を堅固に固定し、支持部２２が座板２１を地面から少なくとも高さＨに支える。この他、支持部２２の両端が異なる高さを持つことにより、座板２１と地面の間に傾斜角度Ａ（図２Ｃ参照）を生じさせる。図２Ｄのように、使用者のふくらはぎがＸ軸の反対方向に沿って座板２１と支持部２２の間に挿入され、臀部が座板２１の上に乗ると、この傾斜角度Ａにより使用者は正座時における重心配置を適切に調整することができ、使用者が脊椎をＹ軸に平行な直立の姿勢に維持し易くなる。さらに、使用者の正座時の快適性を増進させ、膝が過度に湾曲して引っ張られることを避ける。一方、使用者は正座の後、固定具２３の固定機能を解除し、支持部２２を第２位置へ動かすことができる。このとき、支持部２２は座板２１に沿い、折りたたみ組み立て式正座用椅子２の総体積は減少し、折りたたみ組み立て式正座用椅子２の収納に便利となる。これにより、携帯に便利で数個の折りたたみ組み立て式正座用椅子２を重ねて収納するという目的も達成する。
【００１１】
具体的な使用時には、前述の実施態様は更なる数個の変化を持つが、以下図面別に説明する。本案の折りたたみ式組み立て正座用椅子２の実施例を図３乃至図７を用いて説明する。本実施例において、脚部は一対の脚部２２１を具備し、それぞれ座板２１の両側縁に設置され、各脚部２２１が第１位置にある時、各脚部２２１の上縁は座板２１を支える。各脚部２２１は、下から上に向かって薄く削ることにより、各支えが比較的厚い方の端で座板２１の下に固定され、同時に比較的薄い底辺が重量を軽量化し、本考案の折りたたみ組み立て式正座用椅子２は、さらに軽く携帯に便利となる。
【００１２】
また別の面からすると、図５の如く脚部２２１の両端の高さが異なるため、座板２１と地面に傾斜角度Ａができる。使用者が、折りたたみ組み立て式正座用椅子２で正座する時、使用者のふくらはぎはＸ軸の反対方向に沿って折りたたみ組み立て式正座用椅子２の座板２１の下及び一対の脚部２２１の間に挿入され、臀部はやや前傾した座板２１の上に座ることになり、このデザインは使用者が正座をする時の人体工学原理に合致する。このため、使用者は腰部及び背部をＹ軸と平行の直立の姿勢に維持しやすくなり、使用者の正座時における快適性を増進する。例を挙げると、上述の傾斜角度Ａは、実質４度乃至１０度である。より良いのは、傾斜角度Ａは実質８度で、この角度において使用者は快適に折りたたみ組み立て式正座用椅子２に正座できる。
【００１３】
本実施例において、固定具は少なくとも２個の蝶番２３０を具備し、より良いのは、４個の蝶番２３０を具備し、各２個の蝶番２３０でそれぞれ脚部２２１と座板２１を蝶着することにより、各脚部２２１が第１位置（図４参照）及び第２位置（図７参照）間を動くようにする。折りたたみ組み立て式正座用椅子２を組み立てた状態にする時、各脚部２２１は第１位置に固定される。固定具は少なくとも２個の留め具２３１を具備し、より良いのは、４個の留め具２３１を具備し、座板２１と各脚部２２１上の適当な位置に対に設置する。その各留め具２３１は、雄留め具２３１ａ及び雌留め具２３１ｂを具備し、それぞれ座板２１の両側縁及び脚部２２１の側面の一方に設置する。本実施例において、雄留め具２３１ａは、脚部２２１の側面上に設置し、且つ雌留め具２３１ｂは座板２１の側縁上に設置する。図３から図６の如く、折りたたみ組み立て式正座用椅子２が組み立てられた状態の時、雄留め具２３１ａは雌留め具２３１ｂに引っ掛けられ脚部２２１を上述の第１位置において座板２１と固定する。図７の如く、折りたたみ組み立て式正座用椅子２が折り畳まれた状態の時、雄留め具２３１ａと雌留め具２３１ｂは分離し、且つ脚部２２１は蝶番２３０により上述第２位置へ回転移動し、折りたたみ組み立て式正座用椅子２の体積を大幅に縮小させ、保管と携帯に便利となる。
【００１４】
本考案のもう一つの実施例では、折りたたみ組み立て式正座用椅子２は上述実施例と同じく座板２１、２個の脚部２２１及び４個の蝶番２３０を具備する。異なるのは前述の実施例と本実施例の固定具で、少なくとも２個の接着部２３２を具備し、図８の如く上述の留め具を使用しない。具体的には、本実施例の固定具は４個の接着部２３２を具備し、座板２１及び脚部２２１上に対に設置する。各接着部２３２は、第１部分２３２ａ及び第２部分２３２ｂを具備し、且つ第１部分２３２ａ及び第２部分２３２ｂは、それぞれ座板２１の両側縁及び脚部２２１の側面の一方に設置する。本実施例において、第２部分２３２ｂは座板２１の側縁上に設置し、且つ第１部分２３２ａは脚部２２１の側面上に設置する。第１部分２３２ａ及び第２部分２３２ｂは相互にぴったりと接着することができ、脚部２２１を第１位置で座板２１に堅固に固定する。第１部分２３２ａ及び第２部分２３２ｂを相互に分離させると、脚部２２１は蝶番２３０により第２位置へ回転移動する。本実施例の接着部２３２には、市場でよく見受けられる面ファスナーのような、重複使用できる各種接着部を使用することができる。面ファスナーを接着部２３２として使用する場合、面ファスナーの第１部分と第２部分はそれぞれ座板２１と脚部２２１の相対する位置上に設置するだけで、すぐに脚部２２１と座板２１を堅固に固定する目的が達成できる。本実施例のその他の構造は第一実施例と同じであるため、ここでは記述しない。
【００１５】
図９Ａ乃至図９Ｃは、本考案のまたもう一つの実施例を示したものである。上述の２つの実施例と類似しており、本実施例の折りたたみ組み立て式正座用椅子２は座板２１、２個の脚部２２１、４個の蝶番２３０を具備し、前述と異なるのは、本実施例において固定具は少なくとも２個の差し込み型固定具２３３を具備し、それを固定と固定の解除に用いることである。具体的には、各差し込み型固定具２３３は、差し込み具２３３ａ及び差し込み孔２３３ｂを具備し、差し込み孔２３３ｂは座板２１の側縁及び脚部２２１の上縁を貫くように設置する。各脚部２２１が第１位置にある時、各差し込み具２３３ａは各差し込み孔２３３ｂの中に挿着ロックすることができ、それにより座板２１及び脚部２２１が堅固に固定される。反対に、各差し込み具２３３ａを各差し込み孔２３３ｂから抜くと、座板２１及び脚部２２１の固定状態を解除することができる。
【００１６】
本実施例において、差し込み具２３３ａ、差し込み孔２３３ｂ、座板２１および脚部２２１間の関係は、多種のデザインを有することができる。図９Ａの如く、本実施例のデザインその１において、脚部２２１の上縁の中間部分は上方へ延びており（凸部）、座板２１の側縁は相対する形（凹部）に形成する。２個の短い差し込み具２３３ａは、それぞれ座板２１の前後２カ所の側縁から相対する前後の差し込み孔２３３ｂに差し込まれることにより、座板２１を堅固に固定する。図９Ｂは本実施例のデザインその２を示したものである。類似しているのは、本デザインが使用している長い差し込み具２３３ａ１個を、前後へ相対する長い差し込み孔２３３ｂに差し込み、座板２１を堅固に固定していることである。図９Ｃは本実施例のデザインその３を示したものである。上述のデザインと異なり、脚部２２１の上縁の中間部分は上方に２カ所突出し（凸部）、座板２１の側縁は相対する凹部２カ所を形成している。２個の短い差し込み具２３３ａがそれぞれ２個の差し込み孔２３３ｂに差し込まれることにより、座板２１を堅固に固定する。
【００１７】
本実施例の各差し込み具２３３ａは、弾力性のある差し込み具にすることもできる。各差し込み孔２３３ｂに固定しておき、使用者は各弾力性のある差し込み具を各差し込み孔２３３ｂから引き出し、脚部２２１を第１位置から第２位置まで回転移動させると、各弾力性のある差し込み部分はスプリングにより再度もとの差し込み孔２３３ｂに戻る。当業者によく知られているものは、前述の各差し込み具２３３ａが取り外し式のもので、使用者が手動で固定と固定の解除を行うのに便利なものである。
【００１８】
以下に述べるのは、本考案の折りたたみ組み立て式正座用椅子２の第２の実施態様である。図１０Ａ及び図１０Ｂの如く、前述と異なるのは、本実施態様の折りたたみ組み立て式正座用椅子の座板と脚部を分解して組み立て可能な点である。具体的には、例えば、２個の脚部２２１を具備する支持部は、少なくとも２カ所のほぞ組２３４の固定具を具備し、座板２１の嵌着を取り外すことができる。各ほぞ組２３４は、ほぞ２３４ａ及びほぞ穴２３４ｂを具備し、それぞれ座板２１の底面及び脚部２２１の上縁に設置する。当業者によく知られているものは、前述の脚部が４個の脚２２２を組み立てたものからなるもので、図１０Ｂの如く、それぞれ座板２１の側縁のコーナーに設置される。
【００１９】
図１１が示すのは、上述の各実施例の折りたたみ組み立て式正座用椅子２のより良いもので、クッション２４を具備し、面ファスナーまたはその他の固定方法で座板２１上に固定することにより、使用者の重量を分散させ、使用者はさらに快適に折りたたみ組み立て式正座用椅子２で正座することができる。使用者の身長及び体型などの要素が異なり使用者が適切な姿勢で正座をすることが出来ない場合、本考案の折りたたみ組み立て式正座用椅子２は、更なる調節具を利用し、使用者の身長及び体型に対応した調整をすることができる。調整具は、少なくとも１個のスペーサー２５を具備し、面ファスナーの応用またはその他の類似するもので脚部と地面の間に取り外し可能なように設置し、使用者が手軽に傾斜角度Ａ、特に折りたたみ組み立て式正座用椅子２の高さＨを調整することを可能にする。
【００２０】
上述の実施例では、本考案の実施態様を列挙して用いたものであり、本考案の技術的特徴の詳細な説明は、本考案の保護範疇を制限するものではない。熟練したいかなる技術者が容易になし得る変更または均等に属する変更も本考案の主張する範囲に属しており、本案の権利保護範囲は実用新案登録請求の範囲に準ずる。
【図面の簡単な説明】
【００２１】
【図１Ａ】悪い姿勢の正座の図である。
【図１Ｂ】周知の腰掛けの立体図である。
【図１Ｃ】周知の腰掛けに正座した時の悪い姿勢の図である。
【図２Ａ】本考案の折りたたみ組み立て式正座用椅子の第１実施態様の組立図である。
【図２Ｂ】本考案の折りたたみ組み立て式正座用椅子の第１実施態様の折りたたみ図である。
【図２Ｃ】本考案の折りたたみ組み立て式正座用椅子の第１実施態様の側面図である。
【図２Ｄ】本考案の折りたたみ組み立て式正座用椅子に正座したときの姿勢の図である。
【図３】本考案の折りたたみ組み立て式正座用椅子の１実施例の立体図である。
【図４】本考案の折りたたみ組み立て式正座用椅子の１実施例の正面図である。
【図５】本考案の折りたたみ組み立て式正座用椅子の１実施例の側面図である。
【図６】本考案の折りたたみ組み立て式正座用椅子の１実施例の俯瞰図である。
【図７】本考案の折りたたみ組み立て式正座用椅子の１実施例の折りたたみ図である。
【図８】本考案の折りたたみ組み立て式正座用椅子のもう一つの実施例の正面図である。
【図９Ａ】本考案の折りたたみ組み立て式正座用椅子の別の実施例の側面図である。
【図９Ｂ】本考案の折りたたみ組み立て式正座用椅子の別の実施例の側面図である。
【図９Ｃ】本考案の折りたたみ組み立て式正座用椅子の別の実施例の側面図である。
【図１０Ａ】本考案の折りたたみ組み立て式正座用椅子の第２実施態様の側面図である。
【図１０Ｂ】本考案の折りたたみ組み立て式正座用椅子の第２実施態様の側面図である。
【図１１】本考案の折りたたみ組み立て式正座用椅子にクッションとスペーサーを付けた図である。
【符号の説明】
【００２２】
１  腰掛け    １１ 水平座板    １２１  脚部
２  折りたたみ組み立て式正座用椅子    ２１  座板    ２２  支持部  
２２１  脚部    ２２２  脚    ２３ 固定具    ２３０  蝶番  
２３１ 留め具    ２３１ａ  雄留め具    ２３１ｂ 雌留め具 ２３２ 接着部    ２３２ａ  第１部分    ２３２ｂ 第２部分  
２３３ 差し込み型固定具    ２３３ａ  差し込み具  
２３３ｂ  差し込み孔    ２３４  ほぞ組    ２３４ａ  ほぞ
２３４ｂ  ほぞ穴    ２４  クッション    ２５  スペーサー 
【図１Ａ】
0003142127.tif 000003
【図１Ｂ】
0003142127.tif 000004
【図１Ｃ】
0003142127.tif 000005
【図２Ａ】
0003142127.tif 000006
【図２Ｂ】
0003142127.tif 000007
【図２Ｃ】
0003142127.tif 000008
【図２Ｄ】
0003142127.tif 000009
【図３】
0003142127.tif 000010
【図４】
0003142127.tif 000011
【図５】
0003142127.tif 000012
【図６】
0003142127.tif 000013
【図７】
0003142127.tif 000014
【図８】
0003142127.tif 000015
【図９Ａ】
0003142127.tif 000016
【図９Ｂ】
0003142127.tif 000017
【図９Ｃ】
0003142127.tif 000018
【図１０Ａ】
0003142127.tif 000019
【図１０Ｂ】
0003142127.tif 000020
【図１１】
0003142127.tif 000021